(57)【要約】【課題】コンテンツを受信中に、受信しているコンテンツの再生をユーザが容易に行えるようにする。【解決手段】静止画像または動画像の１以上のコンテンツの受信が開始してから、表示制御装置に接続された表示装置に表示を出力するための表示指示を受け付けたタイミングにより処理を異ならせる。受信中、受信が開始してから所定時間内に表示指示を受け付けた場合は受信している１以上のコンテンツの再生に係るメニュー表示を表示装置に出力させる。また、受信が開始してから所定時間が経過した後に表示指示を受け付けた場合は、記録媒体に記録されているコンテンツの一覧表示を表示装置に出力させる。【選択図】図３
2013016043.tif 000002
【特許請求の範囲】
【請求項１】
静止画像または動画像の１以上のコンテンツを受信する受信手段と、
前記受信手段により受信した前記１以上のコンテンツを記録する記録手段と、
接続された表示装置に表示を出力するための表示指示を受け付ける入力手段と、
前記表示装置への前記表示の出力を制御する表示制御手段と、を備え、
前記表示制御手段は、
前記受信手段により前記１以上のコンテンツの受信中であって、当該１以上のコンテンツの受信を開始してから所定時間内に、前記入力手段により前記表示指示を受け付けた場合は、当該受信中の前記１以上のコンテンツの再生に係る表示を前記表示装置に出力させ、
前記１以上のコンテンツの受信を開始してから前記所定時間が経過した後に、前記入力手段により前記表示指示を受け付けた場合は、前記記録手段に記録されている前記１以上のコンテンツの一覧表示を前記表示装置に出力させることを特徴とする表示制御装置。
【請求項２】
前記入力手段により前記表示指示を受け付けた場合は、前記表示装置を、前記表示制御手段により出力された前記表示または前記一覧表示を表示可能な状態に変更する制御手段をさらに備えることを特徴とする請求項１に記載の表示制御装置。
【請求項３】
静止画像または動画像の１以上のコンテンツを受信する受信手段と、
前記受信手段により受信した前記１以上のコンテンツを記録する記録手段と、
接続された表示装置の状態を検出する検出手段と、
前記表示装置への表示の出力を制御する表示制御手段と、を備え、
前記表示制御手段は、
前記１以上のコンテンツの受信中であって、当該１以上のコンテンツの受信を開始してから所定時間内に、前記検出手段により前記表示装置が、当該表示制御手段により出力された表示を表示不可能な状態から表示可能な状態になったと検出された場合は、当該受信中の前記１以上のコンテンツの再生に係る表示を前記表示装置に出力させ、
前記１以上のコンテンツの受信を開始してから前記所定時間が経過した後に、前記検出手段により前記表示装置が前記表示不可能な状態から前記表示可能な状態になったと検出された場合は、前記記録手段に記録されている前記１以上のコンテンツの一覧表示を前記表示装置に出力させることを特徴とする表示制御装置。
【請求項４】
前記所定時間は、前記１以上のコンテンツの受信を開始してから、受信を完了するまでの時間であることを特徴とする請求項１乃至３のいずれか１項に記載の表示制御装置。
【請求項５】
前記受信している１以上のコンテンツの再生に係る表示は、当該受信している１以上のコンテンツを再生して前記表示装置に出力するか否かをユーザに選択させる表示であることを特徴とする請求項１乃至４のいずれか１項に記載の表示制御装置。
【請求項６】
受信手段が、静止画像または動画像の１以上のコンテンツを受信する受信工程と、
制御手段が、前記受信工程において受信した前記１以上のコンテンツを記録手段に記録する記録工程と、
入力手段が、接続された表示装置に表示を出力するための表示指示を受け付ける入力工程と、
表示制御手段が、前記表示装置への前記表示の出力を制御する表示制御工程と、を備え、
前記表示制御工程において前記表示制御手段は、
前記受信工程において前記１以上のコンテンツの受信中であって、当該１以上のコンテンツの受信を開始してから所定時間内に、前記入力工程において前記表示指示を受け付けた場合は、当該受信中の前記１以上のコンテンツの再生に係る表示を前記表示装置に出力させ、
前記１以上のコンテンツの受信を開始してから前記所定時間が経過した後に、前記入力工程において前記表示指示を受け付けた場合は、前記記録手段に記録されている前記１以上のコンテンツの一覧表示を前記表示装置に出力させることを特徴とする表示制御装置の制御方法。
【請求項７】
受信手段が、静止画像または動画像の１以上のコンテンツを受信する受信工程と、
制御手段が、前記受信工程において受信した前記１以上のコンテンツを記録手段に記録する記録工程と、
検出手段が、接続された表示装置の状態を検出する検出工程と、
表示制御手段が、前記表示装置への表示の出力を制御する表示制御工程と、を備え、
前記表示制御工程において前記表示制御手段は、
前記１以上のコンテンツの受信中であって、当該１以上のコンテンツの受信を開始してから所定時間内に、前記検出工程において前記表示装置が、当該表示制御工程で出力された表示を表示不可能な状態から表示可能な状態になったと検出された場合は、当該受信中の前記１以上のコンテンツの再生に係る表示を前記表示装置に出力させ、
前記１以上のコンテンツの受信を開始してから前記所定時間が経過した後に、前記検出工程において前記表示装置が前記表示不可能な状態から前記表示可能な状態になったと検出された場合は、前記記録手段に記録されている前記１以上のコンテンツの一覧表示を前記表示装置に出力させることを特徴とする表示制御装置の制御方法。
【発明の詳細な説明】
【技術分野】
【０００１】
本発明は、静止画像及び動画像を表示装置に表示する表示制御技術に関する。
【背景技術】
【０００２】
デジタルカメラやデジタルビデオカメラ等の撮像装置の普及により、撮像装置で撮像された静止画像や動画像を保存する方法は変化してきている。従来では静止画像は現像した写真媒体として、動画像はビデオテープ等のアナログ記録媒体として保存する方法が主流であったが、今日ではＨＤＤ等のデジタル記録媒体にデータとして保存する方法が主流となっている。
【０００３】
撮像装置で撮像されたデータを、デジタル記録媒体を有する記録装置に保存する方法には、撮像装置または撮像されたデータが記録された記録媒体と記録装置とを有線接続する方法が一般的であるが、近年では様々な方法が提案されている。特許文献１では、ユーザによる簡単な操作で、通信機器が備える静止画像、動画像等のコンテンツのデータを、近接無線通信を利用して外部機器に自動で送信するシステムが提案されている。
【０００４】
特許文献１のような近接無線通信によるデータ転送は、機器の接続が不要なことから家庭内での利用が想定されており、ユーザはＰＣやＨＤＤレコーダ等のホームサーバ機器にコンテンツを記録し、デジタルテレビ等の表示装置で簡単に閲覧を行うことができる。
【先行技術文献】
【特許文献】
【０００５】
【特許文献１】特開２０１０−０１１４１９号公報
【発明の概要】
【発明が解決しようとする課題】
【０００６】
しかしながら、上述のようなホームサーバに記録されたコンテンツの閲覧を行う場合、ユーザは記録されたコンテンツの中から所望のコンテンツを探して選択し、再生を指示する必要があった。即ち、例えばコンテンツを転送してすぐに閲覧を行いたい場合等、ユーザは閲覧までに煩雑な操作を強いられ、時間を要してしまうことがあった。
【０００７】
本発明は、上述の問題点に鑑みてなされたものであり、コンテンツを受信中に、受信しているコンテンツの再生をユーザが容易に行えるようにすることを目的とする。
【課題を解決するための手段】
【０００８】
前述の目的を達成するために、本発明の表示制御装置は、以下の構成を備える。
静止画像または動画像の１以上のコンテンツを受信する受信手段と、受信手段により受信した１以上のコンテンツを記録する記録手段と、接続された表示装置に表示を出力するための表示指示を受け付ける入力手段と、表示装置への表示の出力を制御する表示制御手段と、を備え、表示制御手段は、受信手段により１以上のコンテンツの受信中であって、当該１以上のコンテンツの受信を開始してから所定時間内に、入力手段により表示指示を受け付けた場合は、当該受信中の１以上のコンテンツの再生に係る表示を表示装置に出力させ、１以上のコンテンツの受信を開始してから所定時間が経過した後に、入力手段により表示指示を受け付けた場合は、記録手段に記録されている１以上のコンテンツの一覧表示を表示装置に出力させることを特徴とする。
【発明の効果】
【０００９】
このような構成により本発明によれば、コンテンツを受信中に、受信しているコンテンツの再生をユーザが容易に行えるようにすることを可能とする。
【図面の簡単な説明】
【００１０】
【図１】本発明の実施形態のシステム構成を示す図。
【図２】実施形態に係るホームサーバ１００の機能構成を示すブロック図。
【図３】実施形態１の表示制御処理のフローチャート。
【図４】デジタルテレビ２００に表示させるＧＵＩを例示した図。
【図５】実施形態２の表示制御処理のフローチャート。
【発明を実施するための形態】
【００１１】
以下、本発明の好適な一実施形態について、図面を参照して詳細に説明する。なお、以下に説明する一実施形態は、表示制御装置の一例としての、静止画像または動画像のコンテンツを近接無線通信で受信し、当該受信したコンテンツを接続された表示装置に表示可能なホームサーバに、本発明を適用した例を説明する。しかし、本発明は、近接無線通信に限らず、静止画像または動画像のコンテンツを受信し、当該受信したコンテンツを接続された表示装置に表示することが可能な任意の機器に適用可能である。
【００１２】
また、本明細書において、「近接無線通信」とは、通信距離が１ｍ未満、特には数１０ｃｍ未満であることを想定して規定された通信プロトコルに基づく無線通信を意味するものとする。このような通信プロトコルとしては、通信距離が約７０ｃｍ以下の「近傍型」、同約１０ｃｍ以下の「近接型」非接触通信プロトコルが知られている。具体的には、ＩＳＯ／ＩＥＣ１５６９３、ＩＳＯ／ＩＥＣ１４４３４、ＥＣＭＡ−３４０（ＩＳＯ／ＩＥＣ１８０９２）などの規格が存在する。
【００１３】
図１は、本発明の実施形態に係るシステム構成を示す図である。ホームサーバ１００は、ホームサーバ１００が備える近接無線通信Ｉ／Ｆに近接されたデジタルビデオカメラ３００から、近接無線通信により静止画像、動画像等のコンテンツを受信する。また、ホームサーバ１００には表示装置であるデジタルテレビ２００が有線で接続される。なお、本実施形態ではホームサーバ１００とデジタルテレビ２００とは、映像信号伝送用のＨＤＭＩ（High-Definition Multimedia Interface）ケーブルで接続され、映像及び音声信号の伝送を可能とする。またＨＤＭＩではＣＥＣ（Consumer Electronics Control）プロトコルが規格化されており、当該ＣＥＣプロトコルで規定されたメッセージ通信により相互機器間制御を行うことが可能である。即ち、ホームサーバ１００とデジタルテレビ２００は、ＣＥＣプロトコルで規定されたメッセージ通信を行うことにより、互い装置の状態の把握や、特定の動作を制御することが可能となる。
【００１４】
なお、本実施形態ではホームサーバ１００及びデジタルテレビ２００は、互いに制御可能とするためにＨＤＭＩケーブルで接続されるものとして説明するが、本発明の実施は必ずしもこの接続方法に限定されるものではない。即ち、ホームサーバ１００に接続される表示装置は、少なくともホームサーバ１００から伝送されるコンテンツの映像信号が入力可能であり、映像信号の伝送が可能なインタフェースで接続されればよい。
【００１５】
図２は、本発明の実施形態に係るホームサーバ１００の機能構成を示すブロック図である。
制御部１０１は、例えばＣＰＵであり、不図示の不揮発性メモリに記憶されたホームサーバ１００が備える各ブロックの動作プログラムを読み出し、メモリ１０２に展開することにより、ホームサーバ１００が備える各ブロックの動作を制御する。メモリ１０２は、書き換え可能な揮発性メモリであり、各ブロックの動作中に生成されるデータの一時的な格納領域等に使用される。
【００１６】
近接無線通信Ｉ／Ｆ１０３は、例えばＮＦＣ技術を用いた近接無線通信を行うための通信インタフェースであり、通信可能範囲に存在する近接無線通信に対応した装置との間でデータの送受信を可能とする。近接無線通信部１０４は、通信可能範囲に存在する装置と近接無線通信Ｉ／Ｆ１０３を介して、近接無線通信により行われるデータの送受信を制御するブロックである。近接無線通信部１０４は、近接無線通信に対応した装置が近接無線通信Ｉ／Ｆ１０３から通信可能範囲内に存在するか否かを検出し、通信可能範囲内に当該対応した装置が存在する場合には接続を確立し、近接無線通信接続が確立したことを制御部１０１に通知する。また通信可能範囲内に存在した、近接無線通信に対応した装置が通信可能範囲内から離れた場合には、近接無線通信部１０４は接続されていた近接無線通信接続を切断し、制御部１０１に近接無線通信接続の切断を通知する。また近接無線通信部１０４は、近接無線通信Ｉ／Ｆ１０３を介して受信した静止画像や動画像等のコンテンツのデータを、一時的にメモリ１０２に出力して記憶させる。
【００１７】
記録部１０７は、接続された記録媒体１０８のデータの読み込み及び書き込みを制御するブロックである。記録部１０７は、ホームサーバ１００に近接された外部装置から近接無線通信部１０４により受信され、メモリ１０２に記憶されたコンテンツのデータを読み出して、記録媒体１０８に記録させる。また記録媒体１０８に記録されたデータをホームサーバ１００に接続されたデジタルテレビ２００に表示させる場合、記録部１０７は記録媒体１０８から表示するデータを読み出して、後述する表示制御部１０９に出力する。記録媒体１０８は、例えばホームサーバ１００が備える内蔵メモリや、メモリカードやＨＤＤ等、ホームサーバ１００に着脱可能に接続される記録装置である。記録媒体１０８には、近接無線通信部１０４が受信した１以上のコンテンツのデータが記録部１０７により入力され、記録される。
【００１８】
表示制御部１０９は、ホームサーバ１００に接続された表示装置に記録媒体１０８に記録されているデータを表示するために、記録部１０７により入力されたデータを当該表示装置に適した映像信号に変換し映像Ｉ／Ｆ１１１に出力する。映像Ｉ／Ｆ１１１は、ホームサーバ１００が備える外部の表示装置に映像信号を出力するための入力端子等のインタフェースであり、表示制御部１０９から入力された映像信号を接続された表示装置（デジタルビデオカメラ３００）に出力する。なお、本実施形態では映像Ｉ／Ｆ１１１はＨＤＭＩ端子であるものとする。この場合、表示制御部１０９は記録部１０７から出力されたコンテンツのデータを、ＨＤＭＩ用の非圧縮形式の映像信号に変換して映像Ｉ／Ｆ１１１に出力する。
【００１９】
また、映像Ｉ／Ｆ１１１がＨＤＭＩ端子である場合、映像Ｉ／Ｆ１１１を介してホームサーバ１００に接続されているデジタルビデオカメラ３００の状態を、ＣＥＣプロトコルで規定されたメッセージ信号の送信を行うことにより確認できる。機器制御部１１０は、制御部１０１の指示により、ホームサーバ１００に接続された表示装置に送信するＣＥＣプロトコルのメッセージ信号を生成するブロックであり、生成したメッセージ信号を映像Ｉ／Ｆ１１１を介して、接続された表示装置に送信する。ＣＥＣプロトコルで規定されている、メッセージ信号の送信により行える表示装置の制御には、例えばワンタッチプレイ（OneTouchPlay）がある。ワンタッチプレイとは、ホームサーバ１００に接続された表示装置に対して電源をＯＮ状態にさせ、さらに表示装置の外部入力をホームサーバ１００からの映像入力に切り替える機能である。なお、機器制御部１１０は接続されている表示装置に対して、電源状態を要求するGiveDevicePowerStatusメッセージ、及び外部入力状態を要求するRoutingChangeメッセージを送信することで各状態を検出できる。
【００２０】
ユーザＩ／Ｆ１０５は、ホームサーバ１００が備える、ユーザからの操作入力を検出するインタフェースであり、例えば電源ボタンや再生ボタン等の操作部材や、不図示のリモートコントローラを用いてなされた操作入力を受け付ける赤外線受光部等を備える。ユーザＩ／Ｆ１０５は、ユーザからの操作入力に対応する信号を操作入力部１０６に出力する。操作入力部１０６は、ユーザからの操作入力によりユーザＩ／Ｆ１０５から伝送された信号を解析し、得られた操作指示を制御部１０１に通知する。またタイマ１１２は、ホームサーバ１００が備える内蔵タイマであり、処理のためのクロックの発生や、経過時間の測定等に用いられる。
【００２１】
（表示制御処理）
このような構成をもつ本実施形態のホームサーバ１００の表示制御処理について、図３のフローチャートを用いて具体的な処理を説明する。当該フローチャートに対応する処理は、制御部１０１が、例えば不図示の不揮発性メモリに記憶されている対応する処理プログラムを読み出し、メモリ１０２に展開して実行することにより実現することができる。なお、本表示制御処理は、例えばホームサーバ１００の電源がＯＮにされた際に開始されるものとして説明する。
【００２２】
Ｓ３０１で、制御部１０１はホームサーバ１００の通信可能範囲に、近接無線通信に対応した装置（デジタルビデオカメラ３００）が近接され、近接無線通信接続が確立したか否かを判断する。具体的には制御部１０１は、近接無線通信部１０４により、近接無線通信に対応した装置が通信可能範囲内に近接されたことが検出され、当該対応した装置との近接無線通信接続を確立したことを通知されたか否かを判断する。制御部１０１は、近接無線通信接続が確立した場合は処理をＳ３０２に移し、近接無線通信接続が確立していない場合はＳ３０１の処理を繰り返す。
【００２３】
Ｓ３０２で、制御部１０１は、近接無線通信部１０４に近接無線通信Ｉ／Ｆ１０３を介して、近接無線通信接続が確立した外部装置からコンテンツのデータ受信を開始する。近接無線通信部１０４が受信したコンテンツのデータは、一時的にメモリ１０２に記憶された後、１つのコンテンツのデータの受信完了等の適切なタイミングで記録部１０７により読み出されて、記録媒体１０８に記録される。なお、近接無線通信接続が確立した外部装置から受信するコンテンツのデータは１つに限らず、例えばデジタルビデオカメラ３００を操作することにより選択された１以上のコンテンツのデータが伝送される。また、Ｓ３０２でコンテンツのデータ受信の開始とともに、制御部１０１はＳ３０３でタイマ１１２にカウントを開始させる。
【００２４】
Ｓ３０４で、制御部１０１は、記録媒体１０８に記録されているコンテンツをホームサーバ１００に接続された表示装置に表示するための表示指示がユーザによってなされたか否かを判断する。具体的には制御部１０１は、ユーザからの表示指示の入力を受けた操作入力部１０６から、コンテンツの表示指示が通知されたか否かを判断する。制御部１０１は、記録媒体１０８に記録されているコンテンツの表示指示がなされたと判断した場合は処理をＳ３０６に移し、表示指示がなされていないと判断した場合は処理をＳ３０５に移す。
【００２５】
Ｓ３０５で、制御部１０１は、コンテンツのデータ受信の開始から所定時間が経過したか否かを判断する。具体的には制御部１０１は、Ｓ３０３でタイマ１１２に開始させたカウントを参照し、例えば不揮発性メモリから読み出した所定時間の情報と比較して、所定時間が経過したか否かを判断する。制御部１０１は、コンテンツのデータ受信の開始から所定時間が経過している場合は処理をＳ３０７に移し、データ受信の開始から所定時間内である場合は処理をＳ３０４に戻す。即ち、制御部１０１は、コンテンツのデータ受信開始から所定時間の間はＳ３０４及びＳ３０５の処理を繰り返し、所定時間内にユーザにより記録媒体１０８に記録されているコンテンツの表示指示がなされた場合に、処理をＳ３０６に移す。なお、所定時間の情報とは、コンテンツのデータ受信中に、受信しているコンテンツをすぐに再生可能とする、データ受信の開始からの時間を規定した情報であり、例えばユーザにより変更可能な情報であるものとする。また、所定時間の情報は、コンテンツのデータ受信中の期間を規定すればよいため、最大でコンテンツの受信が開始してから、受信が完了するまでの時間に設定することができる。
【００２６】
Ｓ３０６で、制御部１０１は、現在受信しているコンテンツの再生に係る画面（操作メニュー画面）を、映像Ｉ／Ｆ１１１を介してホームサーバ１００に接続されている表示装置（デジタルテレビ２００）に表示させる。具体的には、制御部１０１は例えば不図示の不揮発性メモリから操作メニュー画面のＧＵＩデータを読み出し、表示制御部１０９に伝送して表示装置の表示を制御させる。受信しているコンテンツの再生に係る画面のＧＵＩは、例えば図４（ａ）及び（ｂ）のように、少なくとも受信中（取り込み中）のコンテンツの再生を指示可能なメニューが含まれていればよい。なお、受信しているコンテンツの再生とは、表示指示を受け付けた際に受信中の１つのコンテンツの再生であってもよいし、一時の近接無線通信で受信する１以上のコンテンツ全ての再生であってもよい。
【００２７】
なお、このとき制御部１０１がワンタッチプレイ機能を用いる場合は、以下のようにすればよい。制御部１０１は、機器制御部１１０にGiveDevicePowerStatusメッセージ、及びRoutingChangeメッセージを映像Ｉ／Ｆ１１１を介して表示装置に送信させることにより、表示装置の状態を取得する。さらに制御部１０１は、ホームサーバ１００から出力する操作メニュー画面が表示可能なように、電源状態及び外部入力状態を切り替えるためのメッセージ信号を機器制御部１１０に発生させることにより、ワンタッチプレイを実行する。
【００２８】
Ｓ３０５でコンテンツのデータ受信の開始から所定時間が経過したと判断された場合、制御部１０１はＳ３０７で、ユーザによりホームサーバ１００の記録媒体１０８に記録されているコンテンツの表示指示がなされたか否かを判断する。具体的には、制御部１０１は、ユーザからの表示指示の入力を受けた操作入力部１０６から、コンテンツの表示指示を示す信号を受信したか否かを判断する。制御部１０１は、ユーザから記録媒体１０８に記録されているコンテンツの表示指示がなされたと判断した場合は処理をＳ３０８に移し、表示指示がなされていないと判断した場合はＳ３０５の処理を繰り返す。なお、制御部１０１は、Ｓ３０５の処理を繰り返している間に、再び新たなデータ受信のために近接無線通信接続が確立した際はＳ３０５の処理を強制的に終了し、本表示制御処理を再び開始すればよい。
【００２９】
Ｓ３０８で、制御部１０１は、記録媒体１０８に記録されているコンテンツの一覧表示の画面を、映像Ｉ／Ｆ１１１を介してホームサーバ１００に接続されている表示装置（デジタルテレビ２００）に表示させ、本表示制御処理を完了する。具体的には、制御部１０１は例えば記録媒体１０８に記録されているコンテンツ全てのサムネイル画像を取得し、表示制御部１０９に伝送して不図示の不揮発性メモリから読み出した一覧表示のＧＵＩデータと合成し、表示装置に出力させる。記録媒体１０８に記録されているコンテンツの一覧表示は、例えば図４（ｃ）のようになる。
【００３０】
なお、このとき制御部１０１がワンタッチプレイ機能を用いる場合は、Ｓ３０６と同様にすればよい。即ち、制御部１０１は、機器制御部１１０を制御し、GiveDevicePowerStatusメッセージ、及びRoutingChangeメッセージを映像Ｉ／Ｆ１１１を介して接続されている表示装置に送信させる。これにより機器制御部１１０が取得した表示装置の現在の電源状態及び外部入力状態を、制御部１０１は受け、表示装置の状態を認識する。。さらに制御部１０１は、ホームサーバ１００から出力する操作メニュー画面が表示されるように、電源状態及び外部入力状態を切り替えるためのメッセージ信号を機器制御部１１０に発生させることにより、ワンタッチプレイを実行する。
【００３１】
なお、Ｓ３０４及びＳ３０７で制御部１０１が判断する、ユーザによってなされる操作は、本実施形態では記録媒体１０８に記録されているコンテンツの表示指示としたが、本発明の実施はこれに限らない。即ち、Ｓ３０５で制御部１０１は、例えばホームサーバ１００に接続された表示装置に、少なくともホームサーバ１００から何らかの映像出力を行うような指示をユーザから受けたか否かを判断すればよい。
【００３２】
以上説明したように、本実施形態の表示制御装置は、静止画像または動画像のコンテンツを受信中に、受信しているコンテンツの再生をユーザに容易に行わせることが可能である。具体的には表示制御装置は、静止画像または動画像の１以上のコンテンツの受信が開始してから、表示制御装置に接続された表示装置に表示を出力するための表示指示を受け付けたタイミングにより処理を異ならせる。受信中、受信が開始してから所定時間内に表示指示を受け付けた場合は受信している１以上のコンテンツの再生に係るメニュー表示を表示装置に出力させる。また、受信が開始してから所定時間が経過した後に表示指示を受け付けた場合は、記録媒体に記録されているコンテンツの一覧表示を表示装置に出力させる。
【００３３】
これにより、ユーザはコンテンツを受信中に、当該受信しているコンテンツの再生を容易に行うことできるため、受信したコンテンツを探すことなく再生を行うことが可能となる。
【００３４】
（実施形態２）
上述した実施形態１では、コンテンツの受信中、表示装置に対してホームサーバ１００から何らかの映像出力を行うような指示がユーザによりなされた場合に、受信しているコンテンツのデータ再生に係る表示を出力する方法について説明した。本実施形態では、コンテンツの受信中に、表示装置がホームサーバ１００からの表示出力を受け付けていない表示不可能な状態から、表示出力を受け付ける表示可能な状態に切り替えられた場合に、データ再生に係る表示を出力する方法について説明する。なお、本実施形態のホームサーバ１００の機能構成は実施形態１と同様であるものとして説明を省略する。
【００３５】
（表示制御処理）
以下、本実施形態のホームサーバ１００の表示制御処理について、図５のフローチャートを用いて具体的な処理を説明する。当該フローチャートに対応する処理は、制御部１０１が、例えば不図示の不揮発性メモリに記憶されている対応する処理プログラムを読み出し、メモリ１０２に展開して実行することにより実現することができる。なお、本表示制御処理は、例えばホームサーバ１００の電源がＯＮにされた際に開始されるものとして説明する。また、本表示制御処理において、実施形態１の表示制御処理と同様の処理を行うステップについては、同一の参照符号を付して説明を省略し、本実施形態に特徴的な処理の説明に留める。なお、本実施形態のホームサーバ１００と、ホームサーバ１００に接続されている表示装置であるデジタルテレビ２００とはＨＤＭＩケーブルで接続され、ＣＥＣプロトコルに規定されているメッセージの送受信により相互機器間制御を行えるものとする。
【００３６】
Ｓ３０３でタイマ１１２にカウントを開始させた後、制御部１０１はＳ５０１で、ホームサーバ１００に接続されている表示装置であるデジタルテレビ２００が、ホームサーバ１００からの映像出力を表示可能な状態に変更されたか否かを判断する。具体的には制御部１０１は、機器制御部１１０にＣＥＣプロトコルで規定されたGiveDevicePowerStatusメッセージ、及びRoutingChangeメッセージを映像Ｉ／Ｆ１１１を介してデジタルテレビ２００に送信させる。そしてメッセージのレスポンスを機器制御部１１０が映像Ｉ／Ｆ１１１を介して受信して制御部１０１に通知することにより、制御部１０１はデジタルテレビ２００の電源状態及び外部入力状態を把握できる（ポーリング調査）。このとき例えばユーザによって、デジタルテレビ２００の電源をＯＮ状態、かつ外部入力状態がホームサーバ１００からの映像出力を受信する状態にされた場合、制御部１０１はデジタルテレビ２００が表示可能な状態に変更されたと判断し、処理をＳ３０６に移す。また、デジタルテレビ２００の電源がＯＦＦ状態、または外部入力状態がホームサーバ１００以外からの映像出力を受信する状態である場合、制御部１０１はデジタルテレビ２００が表示不可能な状態であると判断し、処理をＳ３０５に移す。即ち、本実施形態では制御部１０１は、コンテンツのデータ受信開始から所定時間の間はＳ６０１及びＳ３０５の処理を繰り返す。そして、所定時間内にユーザによりホームサーバ１００に接続されている表示装置がホームサーバ１００からの映像出力を表示可能な状態になされた場合に、処理をＳ３０６に移す。
【００３７】
またＳ３０５でコンテンツのデータ受信の開始から所定時間が経過したと判断された場合、ホームサーバ１００に接続されている表示装置であるデジタルテレビ２００が、ホームサーバ１００からの映像出力を表示可能な状態に変更されたか否かを判断する。具体的には制御部１０１は、ポーリング調査の結果、デジタルテレビ２００が表示可能な状態に変更された場合は処理をＳ３０８に移し、表示不可能な状態のままである場合はＳ６０２の処理を繰り返す。なお、制御部１０１は、Ｓ６０２の処理を繰り返している間に、再び新たなデータ受信のために近接無線通信接続が確立した際はＳ６０２の処理を強制的に終了し、本表示制御処理を再び開始すればよい。
【００３８】
以上説明したように、本実施形態の表示制御装置は、静止画像または動画像のコンテンツを受信中に、受信しているコンテンツの再生をユーザに容易に行わせることが可能である。具体的には表示制御装置は、静止画像または動画像の１以上のコンテンツの受信が開始してから、表示制御装置に接続された表示装置が表示不可能な状態から表示可能な状態に変更されたタイミングにより処理を異ならせる。受信中、受信が開始してから所定時間内に表示装置が表示可能な状態に変更された場合は受信している１以上のコンテンツの再生に係るメニュー表示を表示装置に出力させる。また、受信が開始してから所定時間が経過した後に表示装置が表示可能な状態に変更された場合は、記録媒体に記録されているコンテンツの一覧表示を表示装置に出力させる。
これにより、ユーザはコンテンツを受信中に、当該受信しているコンテンツの再生を容易に行うことできるため、受信したコンテンツを探すことなく再生を行うことが可能となる。
【００３９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013016043.tif 000003
【図２】
2013016043.tif 000004
【図３】
2013016043.tif 000005
【図４】
2013016043.tif 000006
【図５】
2013016043.tif 000007